(57)【要約】      （修正有）【課題】スキップしたＣＭを自己意志によって視聴できるシステムの提供と、更に、ＣＭ視聴を増進するシステムを提供する。【解決手段】ハードディスクレコーダ１０２は、録画制御部１０５と、本編保存専用領域１０６と、コマーシャル保存専用領域１０７と、本編番組とコマーシャルとを選択再生する機能を備えた再生制御部１０８と、該コマーシャル保存専用領域１０７に接続された暗証番号発行部１０９とを具備し、ホストコンピュータ１０４は，暗証番号受信部１１２と、登録ユーザのポイントを管理するポイント管理データベース１１４と、該暗証番号受信部１１２が受信したデータを処理するポイントデータ処理部１１３とを備え、前記暗証番号発行部１０９は、録画されたコマーシャル毎に暗証番号を生成し、該暗証番号がコマーシャル再生時にランダムなタイミングで前記出力部１０３に表示される。【選択図】図１
2008042569.tif 000002
【特許請求の範囲】
【請求項１】
コマーシャルをスキップ録画する機能を備えたハードディスクレコーダに搭載して、該スキップしたコマーシャルを再生するシステムであって、
テレビ映像データを録画するハードディスクレコーダと、
録画した映像を表示する出力部と、
ネットワークを介してホストコンピュータに暗証番号を送信する暗証番号送信機とを備え、
前記ハードディスクレコーダは、受信映像が本編番組かコマーシャルかを識別する機能を備えた録画制御部と、本編番組データを保存する本編保存専用領域と、コマーシャルデータを保存するコマーシャル保存専用領域と、該本編保存専用領域及びコマーシャル保存専用領域に接続されて本編番組とコマーシャルとを選択再生する機能を備えた再生制御部と、該コマーシャル保存専用領域に接続された暗証番号発行部とを具備し、
前記ホストコンピュータは前記暗証番号送信機から送信される暗証番号データを受信する暗証番号受信部と、登録ユーザの視聴ポイントを格納するポイント管理データベースと、登録ユーザの視聴ポイントを増減処理するポイントデータ処理部とを備え、
前記暗証番号発行部は、録画されたコマーシャル毎に暗証番号を生成し、該暗証番号がコマーシャル再生時にランダムなタイミングで前記出力部に表示されることを特徴とする、コマーシャル視聴システム。
【請求項２】
前記暗証番号受信部が受信する暗証番号データは、ユーザの機器シリアル番号と、コマーシャル識別情報と、ユーザの入力した暗証番号とを含み、
前記ポイントデータ処理部は、前記暗証番号データの機器シリアル番号とコマーシャル識別情報から新たに暗証番号を生成し、受信した暗証番号と生成した暗証番号とを比較して、双方の暗証番号が一致した場合に前記ポイント管理データベースの視聴ポイントをカウントアップすることを特徴とする、請求項１に記載のコマーシャル視聴システム。
【発明の詳細な説明】
【技術分野】
【０００１】
本発明は、テレビジョン映像を録画する記憶装置に搭載され、録画時にコマーシャルをスキップしてテレビジョン番組を録画する技術に係り、更に詳しくは、スキップしたコマーシャルのみを視聴者の意志によって視聴可能とするシステムに関する。
【背景技術】
【０００２】
テレビジョン放送中のコマーシャル（ｃｏｍｍｅｒｃｉａｌ  ｍｅｓｓａｇｅのこと。一般に「ＣＭ」と称される。以下「ＣＭ」と記載する。）とは、広告主や広告代理店等の依頼主が放送局と契約し、依頼主が対価を支払って提供する音声データやビデオデータを、番組の合間に放送するものである。このようなＣＭは、対価を受ける放送局にとっては番組製作の重要な収入源となり、広告主にとっても、重要な宣伝メディアとなっている。
【０００３】
一方、テレビジョン番組を録画する装置として、ハードディスクレコーダが普及している。そして近年では、ＣＭと本編番組とを識別して、録画時にＣＭだけを録画しない、所謂ＣＭカット機能が該ハードディスクレコーダに搭載されたものが登場している。
視聴者の多くは、本編番組をＣＭに中断されることなく視聴したいという思いと、録画に使用するディスク容量を最小限に抑えたいという要求を有しているので、前述ＣＭカット機能が搭載されたレコーダを歓迎する傾向にある。
【０００４】
図９は、ＣＭをスキップして本編番組を録画するハードディスクレコーダの代表的なシステム概要を示すブロック構成図であり、映像を送る放送基地局９０１と、該映像を録がする装置であるハードディスクレコーダ９０２と、録画した映像を表示する出力部９０３とから構成されている。
該ハードディスクレコーダ９０２には、特定の方式を使用してＣＭをスキップ録画する録画制御部９０４と、入力した映像を保存する映像保存領域９０５と、該保存された映像を再生する再生部９０６とを備えている。
レコーダ９０２の動作概要は、放送基地局９０１から受信した映像が、前記録画制御部９０４においてＣＭ部分であると判断された場合、該ＣＭ区間は前記映像保存領域９０５に保存されないという録画制御がなされるというものである。
【０００５】
このような録画制御技術分野において、録画中の映像からＣＭ区間を抽出し、本編番組とＣＭとを分別録画するシステムが提案されている（例えば、特許文献１参照）。
特許文献１の発明は、本編番組から分別録画されたＣＭをコマーシャルデータベースに登録し、既存ＣＭとの照合を行って、真に新作のＣＭのみのリストを作成する。このシステムは、ＣＭが契約通りに放送されたか否かの放送確認を行う作業にかかる手間を軽減する目的で利用されるものである。
【０００６】
【特許文献１】特開２００３−４７０３１号公報（段落番号００１６〜００８１）
【発明の開示】
【発明が解決しようとする課題】
【０００７】
１台で同時に複数の番組をＣＭスキップ録画できるハードディスクレコーダが登場するに至り、ＣＭを提供する広告主や広告代理店側では、多額の広告対価を支払うにも関わらず、実際には視聴者に広告を観てもらえる機会が大いに減少している。その結果、テレビジョン放映によるＣＭ効果が半減している。
このようなＣＭカット機能への対応策として、ＣＭを強制的に表示させる技術や、ＣＭカット機能そのものを無効にさせる技術も可能である。しかしながらこのような対応策は、ＣＭカット機能に期待してハーディスクレコーダを購入したユーザにとって、折角の機能による効果を十分享受できないこととなる。従って、ユーザの意志に反して強制的にＣＭを視聴させることは、却って企業のイメージ低下につながりかねず、ＣＭの逆効果に帰する虞がある。
【０００８】
上記問題点に鑑み、本発明は、ＣＭスキップ録画機能を搭載したハードディスクレコーダのユーザに、スキップしたＣＭを自己意志によって視聴できるシステムを提供することを目的とし、更には、ＣＭを視聴するという自己意志を惹起してＣＭ視聴を増進するシステムを提供することを目的とする。
【課題を解決するための手段】
【０００９】
上記の目的を達成するべく、本発明は以下の構成を提供する。
（１）請求項１に係るコマーシャル視聴システムは、コマーシャルをスキップ録画する機能を備えたハードディスクレコーダに搭載して、該スキップしたコマーシャルを再生するシステムであって、テレビ映像データを録画するハードディスクレコーダと、録画した映像を表示する出力部と、ネットワークを介してホストコンピュータに暗証番号を送信する暗証番号送信機とを備え、前記ハードディスクレコーダは、受信映像が本編番組かコマーシャルかを識別する機能を備えた録画制御部と、本編番組データを保存する本編保存専用領域と、コマーシャルデータを保存するコマーシャル保存専用領域と、該本編保存専用領域及びコマーシャル保存専用領域に接続されて本編番組とコマーシャルとを選択再生する機能を備えた再生制御部と、該コマーシャル保存専用領域に接続された暗証番号発行部とを具備し、前記ホストコンピュータは前記暗証番号送信機から送信される暗証番号データを受信する暗証番号受信部と、登録ユーザのポイントを管理するポイント管理データベースと、該暗証番号受信部が受信したデータを処理するポイントデータ処理部とを備え、前記暗証番号発行部は、録画されたコマーシャル毎に暗証番号を生成し、該暗証番号がコマーシャル再生時にランダムなタイミングで前記出力部に表示されることを特徴とする。
【００１０】
（２）請求項２に係るコマーシャル視聴システムは、請求項１に記載のコマーシャル視聴システムであって、前記暗証番号受信部が受信する暗証番号データは、ユーザの機器シリアル番号と、コマーシャル識別情報と、ユーザの入力した暗証番号とを含み、前記ポイントデータ処理部は、前記暗証番号データの機器シリアル番号とコマーシャル識別情報から新たに暗証番号を生成し、受信した暗証番号と生成した暗証番号とを比較して、双方の暗証番号が一致した場合に前記ポイント管理データベースの視聴ポイントをカウントアップすることを特徴とする。
【発明の効果】
【００１１】
本発明のコマーシャル視聴システムによれば、以下の効果を奏する。
（１）ＣＭスキップ機能はそのまま利用して本編番組を録画できるほか、スキップしたＣＭのみを再生可能とすることにより、自己意志でＣＭを視聴することが可能である。
【００１２】
（２）ＣＭの視聴をユーザの意志に委ねることにより、ＣＭ視聴を能動的に行い、ＣＭ効果を増進させることが期待できる。
【００１３】
（３）暗証番号を各ＣＭのランダムなタイミングで表示させることにより、視聴者はいつ暗証番号が表示されるかわからないため、ＣＭの内容を熱心に視聴することが予想される。そのため、従来よりもＣＭの内容をより確かに視聴者が受け取ることが期待できる。
【発明を実施するための最良の形態】
【００１４】
以下、本発明の実施の一形態について、図面を参照しながら具体的に説明する。
図１は、本発明によるコマーシャル視聴システムの形態の一例を示すシステム構成図である。
本システムは、映像を送信する放送基地局１０１と、映像を録画するハードディスクレコーダ１０２と、録画した映像を表示する出力部１０３と、ＣＭを視聴した視聴者に付与されるポイントを管理するホストコンピュータ１０４と、該出力部１０３に表示された暗証番号を視聴者がホストコンピュータ１０４に送信する暗証番号送信機１１０と、該暗証番号送信機１１０と該ホストコンピュータ１０４とを結ぶネットワーク１１１と、から構成されている。
【００１５】
前記ハードディスクレコーダ１０２は、録画制御部１０５と、暗証番号発行部１０９と、再生制御部１０８とを備えている。
又、前記録画制御部１０５は、本編番組のみを保存する記憶媒体である本編保存専用領域１０６と、ＣＭのみを保存する記憶媒体であるＣＭ保存専用領域１０７とを具備している。
【００１６】
前記ホストコンピュータ１０４は、暗証番号受信部１１２と、ポイントデータ処理部１１３と、ポイント管理データベース１１４とを備えている。
【００１７】
前記録画制御部１０５は、所定の方式を用いて、入力映像が本編番組かＣＭかを判別し、判別した映像を前記本編保存専用領域１０６と、前記ＣＭ保存専用領域１０７とに各々分別して録画する。
前記再生制御部１０８は前記本編保存専用領域１０６及びＣＭ保存専用領域１０７に接続され、視聴者が録画映像を視聴する際に、自ら選択することによって、視聴映像を本編番組か、或いはＣＭかに切り替えて再生する機能を有する。
又、前記暗証番号発行部１０９は、録画されたＣＭ毎に暗証番号を生成する。
【００１８】
前記暗証番号受信部１１２は、視聴者が送信した暗証番号を受信する。
前記ポイントデータ処理部１１３は、前記暗証番号受信部１１２が受信した暗証番号が正しいか否かを判別し、登録視聴者の視聴ポイントの増減処理を行う。
又、前記ポイントデータ管理データベース１１４は、各登録視聴者の視聴ポイント状況や登録視聴者の情報を格納している。
【００１９】
次に、本システムの作動について説明する。
図２は、前記ポイント管理データベース１１４のデータ構成例を示しており、登録者の使用するハードディスクレコーダの機器シリアル番号２０１と、登録者の氏名２０２と、登録者住所２０３と、各登録者の現在ポイント残高２０４と、登録者毎のポイント累計であるポイント総数２０５と、誤送信数２０６と、誤送信率２０７とから成る。
本システムの利用者は、予め自己の使用するハードディスクレコーダの機器シリアル番号２０１と、氏名と、住所とを明らかにして本システム提供者に利用を申請し、ホストコンピュータ１０４のポイント管理データベース１１４にデータ登録してもらう。
【００２０】
放送基地局１０１から発信された映像は、前記登録視聴者が所定の録画操作を行うことによって、映像記憶媒体であるハードディスク１０２の録画制御部１０５を介し、受信映像が本編番組かＣＭかの判別がなされた後、各々本編保存専用領域１０６或いはＣＭ保存専用領域１０７に保存される。
【００２１】
録画者が本編番組を視聴する場合には、前記ハードディスクレコーダ１０２と前記出力部１０３の双方を稼働状態とした後、前記出力部１０３を介して、該出力部１０３に接続されたハードディスクレコーダ１０２内の再生制御部１０８により、本編番組の再生モードを選択する。そうすると、該再生制御部１０８に接続された前記本編保存専用領域１０６に保存された本編番組が前記出力部１０３に出力され、ユーザは録画された本編番組を視聴できる。
【００２２】
次に、録画者がＣＭを視聴する場合には、前記ハードディスクレコーダ１０２と前記出力部１０３の双方を稼働状態とした後、前記出力部１０３を介して、該出力部１０３に接続されたハードディスクレコーダ１０２内の再生制御部１０８により、ＣＭの再生モードを選択する。
そうすると、該再生制御部１０８に接続された前記ＣＭ保存専用領域１０７に保存されたＣＭが前記出力部１０３に出力され、ユーザは録画されたＣＭを視聴できる。
【００２３】
ここで、録画制御部１０５の動作につき、図３を用いて詳説する。
先ず、特定の方式を用いて、放送基地局１０１から受信した入力映像が、本編番組かＣＭかを判別する（ステップ：Ｓ２０１）。
前記「所定の方式」とは、例えば本明細書の従来技術欄に記載した方式のように、入力映像が本編番組かＣＭかを判別できる方式であれば、本システムに利用可能である。
ステップＳ２０１で入力映像が本編番組であると判別された場合には、該入力映像を前記本編保存専用領域１０２にデータを保存する（ステップ：Ｓ２０２）。
【００２４】
一方、ステップＳ２０１で入力映像がＣＭであると判別された場合には、本システム利用登録者であるか否かをチェックする（ステップ：Ｓ３０３）。登録者である場合には、入力映像を前記ＣＭ保存専用領域１０７に保存する（ステップ：Ｓ３０４）。保存されたＣＭデータには、各ＣＭ毎に識別を可能とすべくＣＭ識別情報が共に該ＣＭ保存専用領域１０７に保存される（ステップ：Ｓ３０５）。また、自身のハードディスクレコーダの機器シリアル番号を取得し（ステップ：Ｓ３０６）、更に、該機器シリアル番号と前記ステップＳ３０５で保存されているＣＭ識別情報とから、前記暗証番号発行部１０９にてＣＭ毎の暗証番号が生成され（ステップ：Ｓ３０７）、各ＣＭに対応して前記ＣＭ保存専用領域１０７に、ＣＭデータと共に保存される（ステップ：Ｓ３０８）。
【００２５】
ここで、機器シリアル番号とＣＭ識別情報とから暗証番号を生成する方法について説明する。
与えられた原文（文字列）から固定長の疑似乱数を生成する演算手法の一例として、ハッシュ関数がある。生成した値は一般に「ハッシュ値」と呼ばれる。
通信回線を通じてデータを送受信する際に、経路の両端でデータのハッシュ値を求めて両者を比較すれば、データが通信途中で改ざんされていないか調べることができるため、通信の暗号化の補助や、ユーザ認証の分野で応用されている。
ハッシュ関数は不可逆な一方向関数を含むため、ハッシュ値から原文を再現することができず、また、同じハッシュ値を持つ異なるデータを作成することは極めて困難であるので、本発明における暗証番号生成の手段として用いるに好適である。
【００２６】
本システム利用登録者でない場合には、更に入力映像受信者の使用するハードディスクレコーダがＣＭスキップ機能を具備するか否かが判別され（ステップ：Ｓ３０９）、該ＣＭスキップ機能を備えていれば当該受信映像は削除される。
他方、ＣＭスキップ機能を備えていないハードディスクレコーダであると判別された場合には、当該受信映像は前記本編保存専用領域１０６に保存される（ステップ：Ｓ３１０）。
【００２７】
上述録画処理は、ユーザによる録画終了処理等のイベントが発生するまで続行される（ステップ：Ｓ３１１）。
【００２８】
図４は、前記ＣＭ保存専用領域１０７のデータ保存イメージ一例図であり、例えばＣＭ放映時間帯４０１１と、ＣＭ放送局４０１２と、可能であればＣＭ企業情報（広告依頼主情報）４０１３等の情報から成るＣＭ識別情報４０１と、前記ステップＳ３０８で格納される暗証番号４０２と、ＣＭデータ４０３とから構成される。
【００２９】
次いで、前記再生制御部１０８の動作について詳説する。
図５は、再生制御部１０８の処理の概要を示すフローチャート図である。
ユーザがハードディスクレコーダ１０２の録画再生処理を開始すると、先ず、本システムの利用者として登録された視聴者であるか否かがチェックされる（ステップ：Ｓ５０１）。本システム利用者として登録されていないユーザであると判定した場合には、前記本編保存専用領域１０２に保存されている録画データを再生する（ステップ：Ｓ５０２）。
本システム利用者として登録しているユーザであると判定した場合には、更に、ユーザが本編番組を選択しているのか、或いはＣＭデータを選択しているのかがチェックされる（ステップ：Ｓ５０３）。そしてユーザが本編番組の再生を選択している場合には、前記本編保存専用領域１０６の録画データを再生する（ステップ：Ｓ５０４）。
【００３０】
一方、前記ステップＳ５０３でユーザがＣＭの再生を選択している場合には、前記ＣＭ保存専用領域１０７の録画データを再生する（ステップ：Ｓ５０５）。そして、再生されるＣＭ毎に、前記ステップＳ３０８で付与・保存された暗証番号を、各ＣＭ再生中のランダムなタイミングで表示する（ステップ：Ｓ５０６）。
次いで、ユーザによる暗証番号の入力送信があったか否かがチェックされ（ステップ：Ｓ５０７）、暗証番号の入力があった場合には、該暗証番号と共に、ユーザの前記機器シリアル番号２０１及び前記ＣＭ識別情報４０１が共に送信される（ステップ：Ｓ５０８）。一旦暗証番号が送信されたＣＭについては、ＣＭ保存専用領域１０７から削除する（ステップ：Ｓ５０９）。ＣＭデータ毎に一つの暗証番号４０２が付与されているため、一度視聴したＣＭの暗証番号を用いて、実際には視聴していないＣＭを繰り返し視聴したように装って暗証番号送信することができないようにするためである。
上記再生処理（ステップＳ５０１〜ステップＳ５０９）は、ユーザが再生処理を終了する等のイベントが発生するまで続行される（ステップ：Ｓ５１０）。
【００３１】
図６に、ＣＭ再生中の暗証番号表示一例を示した。ユーザが映像を視聴するための出力部１０３には、暗証番号４０２を表示するウィンドウ６０１が設けられ、各ＣＭ毎に１回ずつ暗証番号４０２が、再生中のランダムなタイミングで表示される。
ユーザはＣＭを視聴しながら、暗証番号送信機１１０を用いて、ネットワーク１１１を介し、このウィンドウ６０１に表示された暗証番号をホストコンピュータ１０４に送信する作業を繰り返す。
再生中のランダムなタイミングで暗証番号４０２を表示する理由は、ＣＭ冒頭や末尾等の一定タイミングで表示することとした場合、ユーザが暗証番号表示のタイミングのみしか出力部１０３を見ずに、ＣＭ全編の内容を視聴しなくなる事態を防止することにある。暗証番号は、ユーザが確かにＣＭの内容を視聴した証拠であり、ホストコンピュータにその証拠を報告する手段として用いられるものである。
本システムでは、暗証番号をランダムなタイミングに出力表示するため、従来の放映のように、ユーザはＣＭ中に別作業することなく、暗証番号を得るためにＣＭ冒頭から末尾まで画面を注視する可能性が高くなる。従って、従来のＣＭ放送よりも、高いＣＭ効果を得ることが期待できる。
【００３２】
尚、ウィンドウ６０１の位置や大きさは図６に示したものに限られないことは言うまでもなく、ＣＭ毎に変更して表示させることも可能である。
ウィンドウ６０１は視聴者に暗証番号を表示するものであるから、視聴者にとってＣＭ映像を視聴するに妨げとならない場所や大きさが選択される。
【００３３】
又、図７に暗証番号４０２の送信時データイメージを示した。
上記ステップＳ５０８で送信されるデータは、ユーザの機器シリアル番号２０１と、ＣＭ識別情報４０１と、暗証番号４０２とで構成され、該ＣＭ識別情報４０１には、例えば、ＣＭ放映時間帯４０１１と、ＣＭ放映局４０１２と、ＣＭ提供企業情報４０１３とが含まれている。
機器シリアル番号２０１は、ホストコンピュータ１０４に送信ユーザを一意に識別させるために必要な情報である。
暗証番号はＣＭ毎に生成されるため、ユーザがステップＳ５０８で送信する暗証番号がどのＣＭに対してのものであるかをホストコンピュータ１０４が識別できるようにするため、ＣＭ識別情報４０１は、前記機器シリアル番号２０１及び暗証番号４０２と共に送信されることとする。
【００３４】
図８は、ホストコンピュータ１０４の処理の概要を示すフローチャート図である。
ホストコンピュータ１０４の前記暗証番号受信部１１２は、前記暗証番号送信機１１０を用いてユーザから送信された暗証番号４０２と、該暗証番号４０２と共に送信されるユーザの機器シリアル番号２０１及びＣＭ識別情報４０１とを受信する（ステップ：Ｓ８０１）。
次いで、前記ポイントデータ処理部１１３において、ステップＳ８０１で取得した機器シリアル番号２０１及びＣＭ識別情報４０１から当該視聴されたＣＭの暗証番号を前記ステップＳ３０７と同様の方法により生成する（ステップ：Ｓ８０２）。
【００３５】
そして、ステップＳ８０２で生成した暗証番号と、ステップＳ８０１で受信した暗証番号とが同一であるか比較する（ステップ：Ｓ８０３）。
ステップＳ８０３で両者の暗証番号が同一であった場合には、受信した暗証番号が正しい暗証番号であると認識し、前記ポイント管理データベース１１４の機器シリアル番号２０１にひもづくレコードのポイント残高２０４を、カウントアップする（ステップ：Ｓ８０４）。
【００３６】
ステップＳ８０３で両者の暗証番号が異なっていた場合には、前記ポイント管理データベース１１４の機器シリアル番号２０１にひもづくレコードの誤信総数２０６をカウントアップする（ステップ：Ｓ８０５）。
前述したように、ハッシュ関数は出力するハッシュ値の桁数が固定されるため、設定桁数が極端に小さい場合に、ユーザが勘で入力送信した値が正しい暗証番号と一致する確率がゼロではない。かといって、暗証番号の桁数が大きすぎれば、視聴者が暗証番号を入力ミスする確率が上昇するばかりか、暗証番号の入力に神経を集中させるあまりに、肝心のＣＭ内容に注意が注がれない虞が生ずることとなる。
従って、ユーザが暗証番号を入力するに要する時間が、ＣＭを視聴する妨げとならない程度の大きさの桁数を持つ暗証番号が設定されることが好ましい。
【００３７】
次に、ポイント総数２０５と誤送信数から誤送信率２０７が計算され、誤送信率２０７が一定のしきい値を超えた場合に（ステップ：Ｓ８０６）、ユーザに不正行為があったものとみなし、機器シリアル番号２０１にひもづくユーザレコードのポイントを凍結し、本システム提供を停止する（ステップ：Ｓ８０７）。
【００３８】
本システムによれば、ＣＭを視聴してその証拠となる暗証番号を送信することにより、ユーザは例えば図２に示すようにポイントを獲得していくことができる。
ポイント管理データベース１１４には、登録ユーザのポイントと共に、登録者氏名２０２及び登録者住所２０３とが併せて登録されているので、ポイントが一定以上貯まったユーザには、記念品や試供品を該住所２０３宛に送ることとする。
尚、ユーザがポイント交換する特典を受け取る方法については、郵送に限られないことは言うまでもなく、例えば本システムのように通信方式を用いるもの等、種々の方法が考えられる。
図２におけるポイント残高２０４は、ユーザが現在保有しているポイント数を表しており、ユーザがＣＭ再生中に表示される暗証番号をホストコンピュータ１０４に送信した後、該暗証番号が正しいことを前記ポイントデータ処理部１１３にて承認された場合に増加し、ポイント記念品や試供品をユーザ宛発送されると減少する。
【００３９】
本コマーシャル視聴システムによれば、ＣＭを視聴するか否かをユーザ自身の意志に委ねている点で、ユーザがＣＭを「視聴させられている」という受け身感を持つことなく、自らすすんでＣＭを視聴する行為を行うことができる。
又、ＣＭ視聴の証として、各ＣＭに付与され、放映中に表示される暗証番号をユーザがホストコンピュータに送信することにより、ポイントを獲得することができる。そして、ポイントが加算されていくと、ポイントに応じてＣＭ視聴の特典をユーザが受け取ることができる。
従って、特典を得るためにＣＭ中に表示される暗証番号を取得すべく、ＣＭ画面を注視することとなり、ＣＭ効果を増進することができる。
【００４０】
そして、ＣＭを視聴する毎に、視聴ポイントが加算されていき、ポイントに応じた記念品等の特典を受け取ることができるため、ユーザのＣＭ視聴意欲を高揚させることが期待できるばかりか、特典を提供する企業へのイメージを向上させることもできる。
【００４１】
又、前記ＣＭ保存専用領域１０７に保存されているＣＭ映像データのＣＭ識別情報４０１を、ユーザが閲覧した上でＣＭ再生できるようにすれば、ユーザは自分が本当に興味をもったＣＭのみを再生できるので、視聴を希望しないＣＭを閲覧する時間を節約することができる。
【００４２】
更に、ＣＭの視聴状況をホストコンピュータ１０４にて管理させ、ＣＭ企業に提供するというサービスも本システムの延長上に考えることができる。
広告主は自身のＣＭが実際にどの程度ユーザに視聴されているのかを知ることが可能となるし、ＣＭの種類毎に視聴状況を知ることができるので、視聴者が好むＣＭの傾向を調査する助けとなり、更に視聴者に好まれるＣＭ製作を行うことが可能となる。
【００４３】
以上の実施例においては、ホストコンピュータが１つの場合を例に説明を行ったが、テレビ放送がＣＭ企業情報を取得できるような放送形態に変更される場合には、各ＣＭ企業のホストコンピュータを設けることも、本発明の趣旨を逸脱しないものである。
【図面の簡単な説明】
【００４４】
【図１】本発明によるコマーシャル視聴システムの形態の一例を示すシステム構成図である。
【図２】本実施の形態によるポイント管理データベースの構成例である。
【図３】本実施の形態による録画制御部の処理の流れを示すフローチャアート図である。
【図４】本実施の形態によるＣＭ保存専用領域の構成例である。
【図５】本実施の形態による再生制御部の処理の流れを示すフローチャート図である。
【図６】本実施の形態による出力部のＣＭ再生中における暗証番号表示例である。
【図７】本実施の形態における暗証番号送信機の送信データイメージ図である。
【図８】本実施の形態におけるポイントデータ処理部の処理の流れを示すフローチャート図である。
【図９】従来のハードディスクレコーダのＣＭスキップ機能を説明するシステム構成図である。
【符号の説明】
【００４５】
１０２  ハードディスクレコーダ
１０３  出力部
１０４  ホストコンピュータ
１０５  録画制御部
１０６  本編保存専用領域
１０７  コマーシャル保存専用領域
１０８  再生制御部
１０９  暗証番号発行部
１１０  暗証番号送信機
１１１  ネットワーク
１１２  暗証番号受信部
１１３  ポイントデータ処理部
１１４  ポイント管理データベース
２０１  機器シリアル番号
４０１  コマーシャル識別情報
４０２  暗証番号
【図１】
2008042569.tif 000003
【図２】
2008042569.tif 000004
【図３】
2008042569.tif 000005
【図４】
2008042569.tif 000006
【図５】
2008042569.tif 000007
【図６】
2008042569.tif 000008
【図７】
2008042569.tif 000009
【図８】
2008042569.tif 000010
【図９】
2008042569.tif 000011